(57)【要約】【課題】パネルの製造原価を減少させ、ディスプレイ映像の点滅及び輝点発生と、輝度及び色温度を改善することができるプラズマディスプレイ装置を提供する。【解決手段】プラズマディスプレイ装置は、上部基板２０１と、上部基板２０１上に形成される複数の第１電極２０２及び複数の第２電極２０３と、上部基板２０１と対向して配置される下部基板２１１と、下部基板２１１上に形成される複数の第３電極２１３とを含んで構成され、第１電極２０２及び第２電極２０３と、第３電極２１３とが交差する位置に放電セルが配列され、複数の第１電極２０２と複数の第２電極２０３のうち、少なくとも一方は単一層で形成され、互いに隣接した放電セル内に配置された第１電極２０２及び第２電極２０３の幅又は長さを異なるように形成することを特徴とする。【選択図】図２
2007324117.tif 000002
【特許請求の範囲】
【請求項１】
上部基板と、前記上部基板上に形成される複数の第１電極及び複数の第２電極と、前記上部基板と対向して配置される下部基板と、前記下部基板上に形成される複数の第３電極と、を含んで構成され、
前記複数の第１電極及び前記複数の第２電極と、前記複数の第３電極と、が交差する位置に放電セルが配列されるプラズマディスプレイ装置において、
前記複数の第１電極と前記複数の第２電極のうち、少なくとも一方は単一層で形成され、
前記複数の放電セルのうち第１放電セル内に配置される前記第１電極と前記第２電極の幅は、前記複数の放電セルのうち前記第１放電セルと異なる色を発光する第２放電セル内に配置される前記第１電極と前記第２電極の幅と互いに異なることを特徴とするプラズマディスプレイ装置。
【請求項２】
前記第１放電セル及び前記第２放電セルに配置された前記複数の第１電極と前記複数の第２電極のうち、少なくとも一方は、前記複数の第３電極と交差する方向に形成されたライン部と、
前記ライン部から突出した突出部と
を備えることを特徴とする請求項１に記載のプラズマディスプレイ装置。
【請求項３】
前記複数の第１電極及び前記複数の第２電極を覆う上部誘電体層をさらに備え、
前記複数の第１電極と前記複数の第２電極のうち少なくとも一方は、前記上部誘電体層より色が暗いことを特徴とする請求項１に記載のプラズマディスプレイ装置。
【請求項４】
前記第１放電セル内に配置される前記第１電極及び前記第２電極の幅は、
前記第２放電セル内に配置される前記第１電極及び前記第２電極の幅より大きいことを特徴とする請求項１に記載のプラズマディスプレイ装置。
【請求項５】
前記第２放電セル内に配置される前記第１電極及び前記２電極の幅は、
前記第１放電セル内に配置される前記第１電極及び前記第２電極の幅の０．７０倍〜０．９８倍であることを特徴とする請求項１に記載のプラズマディスプレイ装置。
【請求項６】
前記第１放電セルは、レッド（Ｒｅｄ）光又はグリーン（Ｇｒｅｅｎ）光を発光するセルであり、前記第２放電セルは、ブルー（Ｂｌｕｅ）光を発光するセルであることを特徴とする請求項１に記載のプラズマディスプレイ装置。
【請求項７】
前記第２放電セル内に配置される前記突出部の幅は、
前記第１放電セル内に配置される前記突出部の幅の０．７０倍〜０．９８倍であることを特徴とする請求項２に記載のプラズマディスプレイ装置。
【請求項８】
前記突出部は、少なくとも１つの閉ループを形成することを特徴とする請求項２に記載のプラズマディスプレイ装置。
【請求項９】
前記下部基板上には、
誘電体層と、
前記放電セルを区画する隔壁と、
蛍光体層と、がさらに形成されていることを特徴とする請求項１に記載のプラズマディスプレイ装置。
【請求項１０】
前記突出部は、２つ以上であることを特徴とする請求項２に記載のプラズマディスプレイ装置。
【請求項１１】
上部基板と、前記上部基板上に形成される複数の第１電極及び複数の第２電極と、前記上部基板と対向して配置される下部基板と、前記下部基板上に形成される複数の第３電極と、を含んで構成され、
前記複数の第１電極及び前記複数の第２電極と、前記複数の第３電極と、が交差する位置に放電セルが配列されるプラズマディスプレイ装置において、
前記複数の第１電極と前記複数の第２電極のうち、少なくとも一方は、
単一層で形成され、
前記複数の第３電極と交差する方向に形成されたライン部と、
前記ライン部から突出した突出部と
を備え、
前記複数の放電セルのうち、第１放電セル内に配置される前記突出部の長さは、前記複数の放電セルのうち、前記第１放電セルと異なる色を発光する第２放電セル内に配置される前記突出部の長さと異なることを特徴とするプラズマディスプレイ装置。
【請求項１２】
前記第１放電セル内に配置される前記突出部の長さは、
前記第２放電セル内に配置される前記突出部の長さより長いことを特徴とする請求項１１に記載のプラズマディスプレイ装置。
【請求項１３】
前記第２放電セル内に配置される前記突出部の長さは、
前記第１放電セル内に配置される前記突出部の長さの０．７０倍〜０．９８倍であることを特徴とする請求項１１に記載のプラズマディスプレイ装置。
【請求項１４】
前記突出部は、２つ以上であることを特徴とする請求項１１に記載のプラズマディスプレイ装置。
【請求項１５】
前記第１放電セルは、レッド（Ｒｅｄ）光又はグリーン（Ｇｒｅｅｎ）光を発光するセルであり、前記第２放電セルは、ブルー（Ｂｌｕｅ）光を発光するセルであることを特徴とする請求項１１に記載のプラズマディスプレイ装置。
【請求項１６】
上部基板と、前記上部基板上に形成される複数の第１電極及び複数の第２電極と、前記上部基板と対向して配置される下部基板と、前記下部基板上に形成される複数の第３電極と、を含んで構成され、
前記複数の第１電極及び前記複数の第２電極と、前記第３電極と、が交差する位置に放電セルが配列されたプラズマディスプレイ装置において、
前記複数の第１電極と前記複数の第２電極のうち、少なくとも一方は、
単一層で形成され、
前記複数の第３電極と交差する方向に形成されたライン部と、
前記ライン部から突出した突出部
と、を備え、
前記複数の放電セルのうち、互いに異なる色を発光する第１放電セル、第２放電セル、第３放電セル内にそれぞれ配置される前記第１電極及び前記第２電極の幅は互いに異なることを特徴とするプラズマディスプレイ装置。
【請求項１７】
前記第１放電セル内に配置される前記第１電極及び前記第２電極の幅は、
前記第２放電セル内に配置される前記第１電極及び前記第２電極の幅の０．８０倍〜０．９８倍であることを特徴とする請求項１６に記載のプラズマディスプレイ装置。
【請求項１８】
前記第３放電セル内に配置される前記第１電極及び前記第２電極の幅は、
前記第１放電セル内に配置される前記第１電極及び前記第２電極の幅の０．８０倍〜０．９８倍であることを特徴とする請求項１６に記載のプラズマディスプレイ装置。
【請求項１９】
前記第１放電セルは、グリーン（Ｇｒｅｅｎ）光を発光するセルであり、前記第２放電セルは、レッド（Ｒｅｄ）光を発光するセルであり、前記第３放電セルは、ブルー（Ｂｌｕｅ）光を発光するセルであることを特徴とする請求項１６に記載のプラズマディスプレイ装置。
【請求項２０】
前記複数の第１電極と前記複数の第２電極を覆う上部誘電体層をさらに備え、
前記複数の第１電極と前記複数の第２電極のうち少なくとも一方は、前記上部誘電体層より色が暗いことを特徴とする請求項１６に記載のプラズマディスプレイ装置。
【発明の詳細な説明】
【技術分野】
【０００１】
本発明は、プラズマディスプレイ装置に関し、さらに詳細には、プラズマディスプレイ装置に備えられるパネルに関する。
【背景技術】
【０００２】
プラズマディスプレイパネルとは、放電空間に設置された電極に所定の電圧を印加して放電を起こし、ガス放電時に発生するプラズマが蛍光体を励起させることによって、文字又はグラフィックを含む画像を表示する装置であって、大型化、軽量化、及び平面薄型化が容易であり、上下左右に広い視野角を提供し、フルカラー及び高輝度を具現することができるという長所がある。
【０００３】
図１は、一般的なプラズマディスプレイパネルの構造を示す図である。図１に示すように、プラズマディスプレイ装置は、画像が表示される上部基板１０１上にスキャン電極１０２及びサステイン電極１０３が対をなして形成された複数の維持電極対が配列された上部パネル１００、及び背面をなす下部基板１１１上に複数の維持電極対と交差するように複数のアドレス電極１１３が配列された下部パネル１１０に一定の距離を隔てて平行に配置される。
【０００４】
上部パネル１００は、透明なＩＴＯ（Ｉｎｄｉｕｍ  Ｔｉｎ  Ｏｘｉｄｅ）で形成された透明電極１０２ａ、１０３ａとバス電極１０２ｂ、１０３ｂが備えられたスキャン電極１０２及びサステイン電極１０３が対をなして備えられる。スキャン電極１０２及びサステイン電極１０３は、上部誘電体層１０４により覆われ、上部誘電体層１０４上には、保護層１０５が形成されて、ガス放電時に発生する荷電粒子のスパッタリングから上部誘電体層１０４を保護し、２次電子の放出効率を高めるようになる。
【０００５】
下部パネル１１０は、放電セルを区画するための隔壁１１２を備える、また、複数のアドレス電極１１３が隔壁１１２に対し平行に配置される。アドレス電極１１３上には、Ｒ（Ｒｅｄ）、Ｇ（Ｇｒｅｅｎ）、Ｂ（Ｂｌｕｅ）蛍光体１１４が塗布される。アドレス電極１１３と蛍光体１１４との間には、下部誘電体層１１５が形成される。
【０００６】
一方、従来のプラズマディスプレイパネルのスキャン電極１０２又はサステイン電極１０３を構成する透明電極１０２ａ、１０３ａは、高価なＩＴＯからなる。透明電極１０２ａ、１０３ａは、プラズマディスプレイパネルの製造原価を上昇させる原因となっている。したがって、最近では、製造費用を減らし、かつ、ユーザが視聴するのに充分な視感特性及び駆動特性などを確保することができるプラズマディスプレイパネルの製造に主眼点をおいている。
【発明の開示】
【発明が解決しようとする課題】
【０００７】
本発明は、上述の問題点に鑑みてなされたもので、その目的は、プラズマディスプレイ装置に備えられるパネルにおいて、ＩＴＯからなる透明電極を除去してパネルの製造原価を減少させ、ディスプレイ映像の点滅及び輝点発生と、輝度及び色温度を改善することができるプラズマディスプレイ装置を提供することにある。
【課題を解決するための手段】
【０００８】
上記の目的を達成すべく、本発明に係るプラズマディスプレイ装置は、上部基板と、前記上部基板上に形成される複数の第１電極及び複数の第２電極と、前記上部基板と対向して配置される下部基板と、前記下部基板上に形成される複数の第３電極と、を含んで備えられ、前記複数の第１電極及び前記複数の第２電極と、前記複数の第３電極と、が交差する位置に放電セルが配列されるプラズマディスプレイ装置であって、前記複数の第１電極と前記複数の第２電極のうち、少なくとも一方は単一層で形成され、前記複数の放電セルのうち第１放電セル内に配置される前記第１電極と前記第２電極の幅は、前記複数の放電セルのうち前記第１放電セルと異なる色を発光する第２放電セル内に配置される前記第１電極と前記第２電極の幅と互いに異なることを特徴とする。
【０００９】
このとき、前記第１放電セルは、レッド（Ｒｅｄ）光又はグリーン（Ｇｒｅｅｎ）光を発光するセルであり、前記第２放電セルは、ブルー（Ｂｌｕｅ）光を発光するセルであることが好ましい。
【００１０】
また、前記第１放電セル及び前記第２放電セルに配置された前記複数の第１電極と前記複数の第２電極のうち、少なくとも一方は、前記第３電極と交差する方向に形成されたライン部と、前記ライン部から突出した突出部とを備えることを特徴とする。さらに、前記第２放電セル内に配置される前記突出部の幅は、前記第１放電セル内に配置される前記突出部の幅の０．７０倍〜０．９８倍であることが好ましく、前記突出部は少なくとも１つの閉ループを形成することが好ましく、前記突出部は２つ以上であることが好ましい。
【００１１】
また、前記第１放電セル内に配置される前記第１電極及び前記第２電極の幅は、前記第２放電セル内に配置される前記第１電極及び前記第２電極の幅より大きいことが好ましい。
【００１２】
また、前記第２放電セル内に配置される前記第１電極及び前記第２電極の幅は、前記第１放電セル内に配置される前記第１電極及び前記第２電極の幅の０．７０倍〜０．９８倍であることが好ましい。
【００１３】
また、前記第２放電セル内に配置される前記ライン部の幅は、前記第１放電セル内に配置される前記ライン部幅の０．７０倍〜０．９８倍であることが好ましい。
【００１４】
また、前記複数の第１電極及び前記複数の第２電極を覆う上部誘電体層をさらに備え、前記複数の第１電極と前記複数の第２電極のうち少なくとも一方は、前記上部誘電体層より色が暗いことが好ましい。
【００１５】
また、前記下部基板上には、誘電体層と、前記放電セルを区画する隔壁と、蛍光体層と、がさらに形成されていることが好ましい。
【００１６】
本発明に係る他のプラズマディスプレイ装置は、上部基板と、前記上部基板上に形成される複数の第１電極及び複数の第２電極と、前記上部基板と対向して配置される下部基板と、前記下部基板上に形成される複数の第３電極と、を含んで構成され、前記複数の第１電極及び前記複数の第２電極と、前記複数の第３電極と、が交差する位置に放電セルが配列されるプラズマディスプレイ装置であって、前記複数の第１電極と前記複数の第２電極のうち、少なくとも一方は、単一層で形成され、前記複数の第３電極と交差する方向に形成されたライン部と、前記ライン部から突出した突出部とを備え、複数の前記放電セルのうち、第１放電セル内に配置される前記突出部の長さは、前記複数の放電セルのうち、前記第１放電セルと異なる色を発光する第２放電セル内に配置される前記突出部の長さと異なることを特徴とする。
【００１７】
このとき、前記第１放電セルは、レッド（Ｒｅｄ）光又はグリーン（Ｇｒｅｅｎ）光を発光するセルであり、前記第２放電セルは、ブルー（Ｂｌｕｅ）光を発光するセルであることが好ましい。
【００１８】
また、前記第１放電セル内に配置される前記突出部の長さは、前記第２放電セル内に配置される突出部の長さより長いことが好ましい。
【００１９】
また、前記第２放電セル内に配置される前記突出部の長さは、前記第１放電セル内に配置される前記突出部の長さの０．７０倍〜０．９８倍であることが好ましい。
【００２０】
また、前記突出部は、２つ以上であることが好ましい。
【００２１】
本発明に係るさらに他のプラズマディスプレイ装置は、上部基板と、前記上部基板上に形成される複数の第１電極及び複数の２電極と、前記上部基板と対向して配置される下部基板と、及び前記下部基板上に形成される複数の第３電極と、を含んで構成され、前記複数の第１電極及び前記複数の第２電極と、前記第３電極と、が交差する位置に放電セルが配列されたプラズマディスプレイ装置であって、前記複数の第１電極と前記複数の第２電極のうち、少なくとも一方は、単一層で形成され、前記複数の第３電極と交差する方向に形成されたライン部と、前記ライン部から突出した突出部と、を備え、複数の前記放電セルのうち、互いに異なる色を発光する第１放電セル、第２放電セル、第３放電セル内にそれぞれ配置される前記第１電極及び前記第２電極の幅は互いに異なることを特徴とする。
【００２２】
このとき、前記第１放電セルは、グリーン（Ｇｒｅｅｎ）光を発光するセルであり、前記第２放電セルは、レッド（Ｒｅｄ）光を発光するセルであり、前記第３放電セルは、ブルー（Ｂｌｕｅ）光を発光するセルであることが好ましい。
【００２３】
また、前記第１放電セル内に配置される前記第１電極及び前記第２電極の幅は、前記第２放電セル内に配置される前記第１電極及び前記第２電極の幅の０．８０倍〜０．９８倍であることが好ましく、前記第３放電セル内に配置される前記第１電極及び前記２電極の幅は、前記第１放電セル内に配置される前記第１電極及び前記第２電極の幅の０．８０倍〜０．９８倍であることが好ましい。
【００２４】
また、前記複数の第１電極と前記複数の第２電極を覆う上部誘電体層をさらに備え、前記複数の第１電極と前記複数の第２電極のうち少なくとも一方は、前記上部誘電体層より色が暗いことが好ましい。
【発明の効果】
【００２５】
本発明に係るプラズマディスプレイ装置に備えられるプラズマディスプレイパネルによれば、ＩＴＯからなる透明電極を除去することによりパネルの製造費用を減少させることができ、Ｒ、Ｇ、Ｂ放電セルの大きさをそれぞれ非対称に形成することにより、プラズマディスプレイパネルの色温度及び輝度を向上させることができる。
【発明を実施するための最良の形態】
【００２６】
以下、添付した図面を参照して、本発明に係るプラズマディスプレイ装置について詳細に説明する。
【００２７】
図２は、本発明に係るプラズマディスプレイ装置に備えられるパネルの構造に対する一実施の形態を示す図である。
【００２８】
図２に示すように、プラズマディスプレイパネルは、所定の間隔をおいて合着する上部パネル２００と下部パネル２１０を備える。
【００２９】
上部パネル２００は、上部基板２０１上に対をなして形成される維持電極対２０２、２０３を備える。維持電極対２０２、２０３は、その機能によりスキャン電極２０２とサステイン電極２０３に区分される。維持電極対２０２、２０３は、放電電流を制限し、電極対間を絶縁させる上部誘電体層２０４により覆われ、上部誘電体層２０４の上面には、保護膜層２０５が形成されて、ガス放電時に発生する荷電粒子のスパッタリングから上部誘電体層２０４を保護し、２次電子の放出効率を高めるようになる。
【００３０】
下部パネル２１０は、下部基板２１１上に複数の放電空間、すなわち、放電セルを区画する隔壁２１２が形成される。また、アドレス電極２１３が維持電極対２０２、２０３に交差する方向に配置され、下部誘電体層２１５と隔壁２１２の表面には、ガス放電時に発生した紫外線により発光して、可視光が発生する蛍光体２１４が塗布される。
【００３１】
このとき、隔壁２１２は、アドレス電極２１３と平行に並んだ方向に形成された縦隔壁２１２ａと、アドレス電極２１３と交差する方向に形成された横隔壁２１２ｂとで構成され、放電セルを物理的に区分し、放電により生成された紫外線と可視光が隣接した放電セルに漏れるのを防止する。
【００３２】
このように、隔壁２１２ａ、２１２ｂにより取り囲まれた放電セル内には、ネオン（Ｎｅ）、ヘリウム（Ｈｅ）、又はネオン及びヘリウムの混合気体（Ｎｅ＋Ｈｅ）などを含む主放電気体と、少量のキセノンを含有する不活性ガスとが充填されている。このとき、パネル内におけるガスの圧力は、３５０Ｔｏｒｒ〜５００Ｔｏｒｒであることが好ましい。この場合、放電効率を上げるための適切なガスの量が充填されることになり、パネル製造工程時にガス圧力にともなう製造上の困難をなくし、容易に製造できるようになる。
【００３３】
また、本発明の実施の形態に係るプラズマディスプレイパネルにおいて、維持電極対２０２、２０３は、図１に示す従来の維持電極対１０２、１０３と異なり、不透明な金属電極のみからなる。すなわち、従来の透明電極材質であるＩＴＯを使用せず、従来のバス電極の材質である銀（Ａｇ）、銅（Ｃｕ）又はクロム（Ｃｒ）などを使用して、維持電極対２０２、２０３を形成する。すなわち、本発明の実施の形態に係るプラズマディスプレイパネルの維持電極対２０２、２０３のそれぞれは、従来のＩＴＯ電極を備えず、バス電極１つの単一層からなる。
【００３４】
例えば、本発明の実施の形態に係る維持電極対２０２、２０３のそれぞれは、銀で形成されることが好ましく、銀（Ａｇ）は、感光性の性質を有することが好ましい。また、本発明の実施の形態に係る維持電極対２０２、２０３のそれぞれは、上部基板２０１に形成される上部誘電体層２０４より色がさらに暗く、光の透過度がさらに低いという性質を有することが好ましい。
【００３５】
電極ライン２０２ａ、２０２ｂ、２０３ａ、２０３ｂの厚さは、３μｍ〜７μｍであることが好ましい。電極ライン２０２ａ、２０２ｂ、２０３ａ、２０３ｂが上記のような範囲の厚さに形成される場合、プラズマディスプレイパネルが正常に動作できる抵抗の範囲及び必要な開口率を有することによって、ディスプレイ装置の前面から反射する光が当該電極により塞がれて、映像の輝度が減少することを防止することができ、パネルのキャパシタンスが大きく増加しなくなる。
【００３６】
また、放電セルに塗布された蛍光体は、Ｒ（Ｒｅｄ）、Ｇ（Ｇｒｅｅｎ）、Ｂ（Ｂｌｕｅ）のうち、少なくとも１つの色を発光することができ、本明細書では、それぞれの放電セルにＲ、Ｇ、Ｂの順に蛍光体が塗布される。
【００３７】
図２に示すパネルの構造は、本発明に係るプラズマディスプレイパネルの構造に関する一実施の形態に過ぎないから、本発明は、図２に示すプラズマディスプレイパネルの構造に限定されない。例えば、外部から発生する外部光を吸収して反射を減らす光遮断の機能と、上部基板２０１のピュリティ（Ｐｕｒｉｔｙ）及びコントラストを向上させる機能と、を果たすブラックマトリックス（Ｂｌａｃｋ  Ｍａｔｒｉｘ、ＢＭ）を上部基板２０１上に形成することができ、このようなブラックマトリックスは、分離型及び一体型構造の両構造を採用することが可能である。
【００３８】
一方、このようなブラックマトリックスを形成過程においてブラック層と同時に形成して、物理的に接続しても良く、他の時点で形成し、物理的に接続しなくても良い。また、物理的に接続して形成する場合、ブラックマトリックスとブラック層を同じ材質で形成するが、物理的に分離して形成する場合には、異なる材質で形成することができる。
【００３９】
また、本発明に係るプラズマディスプレイパネルは、縦隔壁２１２ａと横隔壁２１２ｂにより放電セルが閉鎖構造を有するクローズタイプであるが、縦隔壁２１２ａのみを含むストライプタイプ又は縦隔壁２１２ａ上に所定の間隔を有して突出部が形成されたフィッシュボーン（Ｆｉｓｈ  Ｂｏｎｅ）などの構造も可能である。
【００４０】
また、本発明の一実施の形態に係るプラズマディスプレイパネルは、図２に示す隔壁の構造だけでなく、多様な形状の隔壁構造も可能である。例えば、縦隔壁２１２ａと横隔壁２１２ｂの高さが異なる不均一な隔壁構造、縦隔壁２１２ａ又は横隔壁２１２ｂのうち、１つ以上に排気通路として使用可能なチャネルが形成されたチャネル型隔壁構造、縦隔壁２１２ａ又は横隔壁２１２ｂのうち、何れか１つ以上に溝（Ｈｏｌｌｏｗ）が形成された溝型隔壁構造などが可能である。ここで、不均一な隔壁構造である場合には、横隔壁２１２ｂの高さが縦隔壁２１２ａよりも高いことがさらに好ましく、チャネル型隔壁構造や溝型隔壁構造である場合には、横隔壁２１２ｂにチャネルを形成するか、又は溝を形成することが好ましい。
【００４１】
一方、本発明の一実施の形態では、Ｒ、Ｇ及びＢ放電セルのそれぞれが同一線上に配列されることが図示及び説明されているが、他の形状の配列も可能である。例えば、Ｒ、Ｇ及びＢ放電セルが三角状に配列されるデルタタイプの配列も可能であり、放電セルの形状も、四角状だけでなく、五角形、六角形などの多様な多角形形状でも形成することが可能である。
【００４２】
また、下部基板２１１上に形成されるアドレス電極２１３は、幅や厚さが実質的に一定であっても良く、放電セル内部での幅や厚さが放電セル外部での幅や厚さと異なっても良い。例えば、放電セル内部での幅や厚さが放電セル外部での幅より広く、又は厚さを厚くすることもできる。
【００４３】
図３は、プラズマディスプレイパネルの電極配置に対する一実施の形態を示す図である。
【００４４】
図３に示すように、プラズマディスプレイパネルを構成する複数の放電セルは、各々スキャン電極ラインＹ１〜Ｙｍ、サステイン電極ラインＺ１〜Ｚｍ、及びアドレス電極ラインＸ１〜Ｘｎの交差部に位置し、マトリックス状に配置されることが好ましい。スキャン電極Ｙ１〜Ｙｍは、順次駆動され、サステイン電極Ｚ１〜Ｚｍは、共通的に駆動される。アドレス電極ラインＸ１〜Ｘｎは、奇数番目のラインと偶数番目のラインに分割されて駆動する。
【００４５】
図３に示す電極配置は、本発明に係るプラズマディスプレイパネルの電極配置に関する一実施の形態に過ぎず、本発明は、図３に示すプラズマディスプレイパネルの電極配置及び駆動方式に限定されない。例えば、スキャン電極ラインＹ１〜Ｙｍのうち、２個のスキャン電極ラインが同時に駆動されるデュアルスキャン（ｄｕａｌ  ｓｃａｎ）方式又はダブルスキャン（ｄｏｕｂｌｅ  ｓｃａｎ）方式も可能である。ここで、デュアルスキャン方式は、プラズマディスプレイパネルを上下２つの領域に分けて、上部領域と下部領域のそれぞれに属している１つづつのスキャン電極ラインを同時に駆動する方式である。また、ダブルスキャン方式は、連続的に配置された２つのスキャン電極ラインを同時に駆動する方式である。
【００４６】
図２に示す本発明によるプラズマディスプレイパネル構造の第１の実施の形態に関して、次の図４にてさらに詳細に説明する。
【００４７】
図４は、本発明に係るプラズマディスプレイパネルの電極構造に関する第１の実施の形態を示す断面図である。図４においては、図２に示すプラズマディスプレイパネルのうち、１つの放電セル内に形成される維持電極対２０２、２０３の配置構造のみを簡略的に示した。
【００４８】
図４に示すように、本発明の第１の実施の形態に係る維持電極対２０２、２０３は、基板上に放電セルの中心を基準に、対称に対をなして形成される。維持電極対２０２、２０３のそれぞれは、放電セルを横切る少なくとも２つの電極ライン２０２ａ、２０２ｂ、２０３ａ、２０３ｂを含むライン部と、放電セルの中心に最も近い電極ライン２０２ａ、２０３ａに接続され、放電セル内で放電セルの中心方向に突出する少なくとも１つの突出電極２０２ｃ、２０３ｃを備える突出部とからなる。また、図４に示すように、維持電極対２０２、２０３のそれぞれは、２つの電極ライン２０２ａと２０２ｂ、２０３ａと２０３ｂをそれぞれ接続する１つのブリッジ電極２０２ｄ、２０３ｄをさらに備えることが好ましい。
【００４９】
電極ライン２０２ａ、２０２ｂ、２０３ａ、２０３ｂは、放電セルを横切って、プラズマディスプレイパネルの一方向に伸びる。本発明の第１の実施の形態に係る電極ラインは、開口率を向上させるために、狭い幅で形成される。また、放電拡散効率を向上させるために、複数の電極ライン２０２ａ、２０２ｂ、２０３ａ、２０３ｂを使用しているが、開口率を考慮して、電極ラインの数を決定することが好ましい。
【００５０】
突出電極２０２ｃ、２０３ｃは、１つの放電セル内で放電セルの中心に最も近い電極ライン２０２ａ、２０３ａにそれぞれ接続され、放電セルの中心方向に突出することが好ましい。突出電極２０２ｃ、２０３ｃは、プラズマディスプレイパネルの駆動時に放電開始電圧を下げる。電極ライン２０２ａ、２０３ａ間の距離Ｃにより、放電開始電圧が増加するため、本発明の第１の実施の形態では、電極ライン２０２ａ、２０３ａそれぞれに接続する突出電極２０２ｃ、２０３ｃを備える。近くに形成された突出電極２０２ｃ、２０３ｃの間には、低い放電開始電圧でも放電が開始されるので、プラズマディスプレイパネルの放電開始電圧を下げることができる。ここで、放電開始電圧とは、維持電極対２０２、２０３のうち、少なくとも何れか１つの電極にパルスを供給するとき、放電が始まる電圧レベルのことを意味する。
【００５１】
このような突出電極２０２ｃ、２０３ｃは、その大きさが極めて小さいため、製造工程の公差により実質的に突出電極２０２ｃ、２０３ｃの電極ライン２０２ａ、２０３ａと接続する部分の幅Ｗ１が、突出電極の終端の幅Ｗ２より広く形成されるが、必要に応じて、その終端の幅Ｗ２をさらに広くすることもできる。
【００５２】
維持電極対２０３、２０２のそれぞれを構成する隣接した２つの電極ライン間の間隔、すなわち２０３ａと２０３ｂとの間隔又は２０２ａと２０２ｂとの間隔は、８０μｍ〜１２０μｍであることが好ましい。隣接した２つの電極ライン間の間隔が上記のような値を有する場合、プラズマディスプレイパネルの開口率を十分に確保して、ディスプレイ映像の輝度を増加させることができ、放電空間内での放電拡散効率を増加させることができる。
【００５３】
突出電極２０２ｃ、２０３ｃの幅Ｗ１は、３０μｍ〜７０μｍであることが好ましい。突出電極２０２ｃ、２０３ｃの幅が、上記のような値を有する場合、プラズマディスプレイパネルの開口率が小さいため、ディスプレイ装置の前面から反射する光が突出電極２０２ｃ、２０３ｃにより塞がれて、映像の輝度が減少することを防止することができる。
【００５４】
また、輝度を上昇させるために放電特性が最大限低下しない程度に形成し、突出部によるパネルの開口率を最大限確保するために、突出電極の幅を３５μｍ〜４５μｍに形成することが好ましい。
【００５５】
また、突出電極２０２ｃ、２０３ｃ間の間隔ａは、６０μｍ〜１２０μｍであることが好ましい。突出電極２０２ｃ、２０３ｃ間の間隔ａが、上記のような値を有する場合には、突出電極２０２ｃ、２０３ｃの間に放電が臨界数値以上に過度に発生して、電極の寿命が短縮することを防止すると共に、プラズマディスプレイパネルの駆動に適切な放電開始電圧を確保することができる。すなわち、突出電極間の間隔が極めて小さいことにより過放電が引き起こされること、又は突出電極間の間隔が極めて遠いことにより微弱な放電が引き起こされることを防止し、パネルの開口率を最大限確保することができる。
【００５６】
ブリッジ電極２０２ｄ、２０３ｄは、維持電極対２０２、２０３のそれぞれを構成する２つの電極ライン２０２ａと２０２ｂ、２０３ａと２０３ｂをそれぞれ接続する。ブリッジ電極２０２ｄ、２０３ｄは、突出電極２０２ｃ、２０３ｃを介して開始された放電が、放電セルの中心から遠い電極ライン２０２ｂ、２０３ｂまで容易に拡散されるようにする機能を果たす。
【００５７】
このように、本発明の第１の実施の形態に係る電極構造は、電極ラインの数を所定数に変更することによって、開口率を向上させることができる。また、突出電極２０２ｃ、２０３ｃを形成することによって、放電開始電圧を下げることができる。また、ブリッジ電極２０２ｄ、２０３ｄと放電セルの中心から遠い電極ライン２０２ｂ、２０３ｂにより、放電拡散効率を増加させて、全体的にプラズマディスプレイパネルの発光効率を向上させることができる。すなわち、従来のプラズマディスプレイパネルの明るさと同等又はより明るくすることができるため、ＩＴＯ透明電極を使用しなくてもよい。
【００５８】
図５は、本発明に係るプラズマディスプレイパネルに関する第２の実施の形態を示す斜視図である。図５に示すように、本発明に係るプラズマディスプレイパネルの第２の実施の形態は、所定の間隔をおいて合着する上部パネル４００と下部パネル４１０を備える。維持電極対４０２、４０３に交差する方向に、下部基板４１１上に形成されるアドレス電極４１３、及び上部基板４０１と下部基板４１１との間に形成され、複数の放電セルを区画する隔壁４１２を備える。ここで、本発明の第２の実施の形態に係るプラズマディスプレイパネルの特徴のうち、本発明の第１の実施の形態で説明した内容と同一内容については、説明は省略する。
【００５９】
本発明の第２の実施の形態に係る維持電極対４０２、４０３は、不透明な金属電極のみからなることが好ましい。これにより、プラズマディスプレイパネルの製造費用を下げることができる。すなわち、本発明に係るプラズマディスプレイパネルの維持電極対４０２、４０３のそれぞれは、従来のＩＴＯ電極を備えず、バス電極１つの単一層からなることが好ましい。
【００６０】
例えば、本発明の実施の形態に係る維持電極対４０２、４０３のそれぞれは、銀で形成されることが好ましく、当該銀は感光性の性質を有することが好ましい。また、本発明の実施の形態に係る維持電極対４０２、４０３のそれぞれは、上部基板４０１に形成される上部誘電体層４０４より色がさらに暗く、光の透過度がさらに低い性質を有することが好ましい。
【００６１】
また、図５は、Ｒ、Ｇ、Ｂそれぞれの単位放電セルを示すものであって、１つの放電セル内には、維持電極対４０２、４０３それぞれが複数の電極ラインで形成される。これは、開口率と放電拡散効率を考慮したものである。また、本発明の第２の実施の形態では、放電セルの中心方向の反対方向に伸びる第２突出電極４０２ｅ、４０３ｅを備えることによって、本発明の第１の実施の形態よりも向上した放電効率を有することができる。
【００６２】
図５に示す構造は、本発明に係るプラズマパネルの構造に関する一実施の形態に過ぎず、本発明は、図５に示すプラズマディスプレイパネル構造に限定されない。
【００６３】
図５に示す本発明の第２の実施の形態に係る維持電極対４０２、４０３の構造に関するさらに詳細な説明は、次の図６Ａ、図６Ｂ、図７及び図８にて説明する。
【００６４】
図６Ａ〜図６Ｂは、本発明に係るプラズマディスプレイパネルの電極構造に関する第２の実施の形態を示す断面図である。図６Ａ〜図６Ｂにおいては、図５に示すプラズマディスプレイパネルのうち、１つの放電セル内に形成される維持電極対４０２、４０３の配置構造のみを簡略に示すものである。
【００６５】
図６Ａに示すように、維持電極対４０２、４０３のそれぞれは、放電セルを横切る少なくとも２つの電極ライン４０２ａ、４０２ｂ、４０３ａ、４０３ｂと、放電セルの中心に最も近い電極ライン４０２ａ、４０３ａに接続され、放電セル内で放電セルの中心方向に突出する第１突出電極４０２ｃ、４０３ｃ、２つの電極ライン４０２ａと４０２ｂ、４０３ａと４０３ｂをそれぞれ接続するブリッジ電極４０２ｄ、４０３ｄ、及び放電セルの中心から最も遠い電極ライン４０２ｂ、４０３ｂに接続され、放電セル内で放電セルの中心と反対方向に突出する第２突出電極４０２ｅ、４０３ｅを備える。
【００６６】
電極ライン４０２ａ、４０２ｂ、４０３ａ、４０３ｂは、放電セルを横切って、プラズマディスプレイパネルの一方向に伸びる。本発明の第２の実施の形態に係る電極ラインは、開口率を向上させるために、幅を狭く形成することが好ましい。好ましくは、電極ラインの幅Ｗｌは、２０μｍ以上７０μｍ以下にして、開口率を向上させると共に、放電が円滑に起きるようにすることが好ましい。
【００６７】
図６Ａに示すように、放電セルの中心に近い電極ライン４０２ａ、４０３ａは、第１突出電極４０２ｃ、４０３ｃにそれぞれ接続され、放電セルの中心に近い電極ライン４０２ａ、４０３ａは、放電が開始されると同時に、放電拡散が始まる経路を形成する。放電セルの中心から遠い電極ライン４０２ｂ、４０３ｂは、第２突出電極４０２ｅ、４０３ｅと接続される。放電セルの中心から遠い電極ライン４０２ｂ、４０３ｂは、放電セル周辺部まで放電を拡散する機能を果たす。
【００６８】
第１突出電極４０２ｃ、４０３ｃは、１つの放電セル内で放電セルの中心に近い電極ライン４０２ａ、４０３ａにそれぞれ接続され、放電セルの中心方向に突出する。好ましくは、第１突出電極は、電極ライン４０２ａ、４０３ａの中心に形成される。第１突出電極４０２ｃ、４０３ｃが、互いに対応して電極ラインの中心に形成されることによって、プラズマディスプレイパネルの放電開始電圧をさらに効果的に下げることができる。
【００６９】
突出電極４０２ｃ、４０３ｃの幅Ｗ１は、３０μｍ〜７０μｍであることが好ましく、突出電極４０２ｃ、４０３ｃ間の間隔ａは、６０μｍ〜１２０μｍであることが好ましい。突出電極４０２ｃと４０３ｃの幅及び間隔の上限値と下限値に関する臨界的意味は、図４を参考にして説明したものと同様なので、ここではその説明を省略する。
【００７０】
ブリッジ電極４０２ｄ、４０３ｄは、維持電極４０２、４０３それぞれを構成する２電極ライン４０２ａと４０２ｂ、４０３ａと４０３ｂをそれぞれ接続する。ブリッジ電極４０２ｄ、４０３ｄは、突出電極を介して開始された放電が、放電セルの中心から遠い電極ライン４０２ｂ、４０３ｂまで容易に拡散されるようにする機能を果たす。ここで、ブリッジ電極４０２ｄ、４０３ｄは、放電セル内に位置しているが、その必要に応じて放電セルを区画する隔壁４１２上に形成することもできる。
【００７１】
これにより、本発明に係るプラズマディスプレイパネルの電極構造に関する第２の実施の形態では、電極ライン４０２ｂ、４０３ｂと隔壁４１２との間の空間にも放電を拡散させることができる。それにより、放電拡散効率を増加させることによって、プラズマディスプレイパネルの発光効率を向上させることができる。
【００７２】
また、第２突出電極４０２ｅ、４０３ｅは、放電セルの中心から遠い電極ライン４０２ｂ、４０３ｂにそれぞれ接続され、放電セルの中心方向と反対方向に突出する。第２突出電極４０２ｅ、４０３ｅの長さは、３０μｍ〜１００μｍであることが好ましく、上記のような値を有することにより、放電セルの中心から遠い放電空間まで放電を効果的に拡散させることができ、パネルの開口率を２５〜４５％に維持すると共に、それによりディスプレイ映像の輝度を向上させることができる。
【００７３】
このように、本発明では、ディスプレイ映像の輝度を向上させると共にコントラストを向上させ、駆動パネルの駆動マージンを確保するための電極の抵抗値を確保するために、本発明に係るプラズマディスプレイパネルの開口率が２５〜４５％であることが好ましい。
【００７４】
このとき、パネルの開口率とは、パネルの有効表示領域、すなわちパネルの放電セルのうち、ディスプレイ映像に影響を及ぼす放電セルが位置する領域の面積に対する開口率であることが好ましい。
【００７５】
図６Ａに示すように、第２突出電極４０２ｅ、４０３ｅは、放電セルを区画する隔壁４１２まで伸びるように形成することができる。また、開口率を他の部分で十分に補償することができる場合、放電拡散効率をさらに向上させるために、隔壁４１２上に一部延長することもできる。但し、第２突出電極４０２ｅ、４０３ｅが隔壁４１２まで延長しない場合、第２突出電極４０２ｅ、４０３ｅとそれに隣接した隔壁４１２間の間隔は、７０μｍ以下であることが好ましい。第２突出電極４０２ｅ、４０３ｅと隔壁４１２との間の間隔が７０μｍ以下であるとき、放電セルの中心から遠い放電空間まで放電を効果的に拡散することができる。
【００７６】
本発明の第２の実施の形態では、第２突出電極４０２ｅ、４０３ｅを電極ライン４０２ｂ、４０３ｂの中心に形成して、放電セルの周辺部に放電を均一に拡散させることが好ましい。
【００７７】
一方、本発明の第２の実施の形態では、放電セルを区画する隔壁のうち、第２突出電極４０２ｅ、４０３ｅが伸びる方向に位置する隔壁の幅Ｗｂを２００μｍ以下に形成することが好ましい。また、外部光を吸収して明室コントラストを確保し、放出される放電光が隣接放電セルに拡散されて表示されるのを防止するためのブラックマトリックス（図示せず）を隔壁４１２上に形成することが好ましい。隔壁４１２の幅を２００μｍ以下に形成することによって、放電セルの面積が増加する。これにより、発光効率を増加させることができ、第２突出電極などにより開口率が減少することを補償することができる。第２突出電極が伸びる方向に位置する隔壁の幅Ｗｂは、９０μｍ〜１００μｍにすることが好ましく、これにより最適の発光効率を得ることができる。
【００７８】
また、図６Ｂを参照すると、突出部４０３ｃは、曲率を有する曲線部分を含むことができる。図６Ｂに示すように、突出部４０３ｃが曲線状に形成される場合、電極の製造工程がさらに容易になり得る。また、パネルの駆動時に壁電荷が特定位置に過度に集中することを防止することができ、これにより、放電特性を安定させて、駆動安定性を向上させることができる。
【００７９】
図６Ｂに示すように、突出部４０３ｃが曲線状に形成される場合、突出部４０３ｃの幅Ｗは、突出部４０３ｃの中間部分の幅として定義することが好ましい。
【００８０】
また、ブリッジ電極４０２ｄ、４０３ｄと電極ライン４０２ａ、４０３ａとがそれぞれ接続される部分も、図６Ｂに示す突出部４０３ｃのように曲率を有することができる。
【００８１】
図７は、本発明に係るプラズマディスプレイパネルの電極構造に関する第３の実施の形態を示す断面図である。図７に示す電極構造のうち、図６Ａ及び図６Ｂで説明した内容と同一内容については説明を省略する。
【００８２】
図７に示すように、本発明に係る電極構造に対する第３の実施の形態では、維持電極対６０２、６０３それぞれに２つの第１突出電極６０２ａ、６０３ａが形成される。第１突出電極６０２ａ、６０３ａは、放電セルの中心に近い電極ラインに接続され、放電セルの中心方向に突出する。第１突出電極６０２ａ、６０３ａのそれぞれを電極ラインの中心を基準に互いに対称に形成することが好ましい。
【００８３】
第１突出電極６０２ａ、６０３ａの幅は、３０μｍ〜７０μｍであることが好ましい。突出電極幅の上限値と下限値に関する臨界的意味は、図４を参考にして説明したものと同様なので、ここではその説明を省略する。
【００８４】
１つの電極ラインから突出した２つの第１突出電極間の間隔ｄ１、ｄ２は、プラズマディスプレイパネルが４２インチの大きさ及びＶＧＡの解像度を有する場合には、５０〜１００μｍであり、プラズマディスプレイパネルが４２インチの大きさ及びＸＧＡの解像度を有する場合には、３０〜８０μｍであり、プラズマディスプレイパネルが５０インチの大きさ及びＸＧＡの解像度を有する場合には、４０〜９０μｍであることが好ましい。
【００８５】
第１突出電極の間隔ｄ１、ｄ２が上記のような範囲を有するとき、ディスプレイ装置に求められる映像の輝度を具現することができる開口率の確保が可能になり、第１突出電極が隔壁にあまりにも近接して無効電力が増加することにより、ディスプレイの消費電力が限界値以上に増加することを防止することができる。
【００８６】
維持電極対６０２、６０３のそれぞれに２つの第１突出電極６０２ａ、６０３ａをそれぞれ形成することによって、放電セルの中心での電極面積が増加する。これにより、放電開始前には、放電セル内に空間電荷が多く形成されて、放電開始電圧がより低くなり、放電速度が速くなる。また、放電開始後には、壁電荷量が増加して輝度が上昇し、放電が全放電セルに均一に拡散される。
【００８７】
また、第１突出電極６０２ｃ、６０３ｃ間の間隔ａ１、ａ２、すなわち電極ライン６０２、６０３と交差する方向における２つの突出電極間の間隔ａ１、ａ２は、６０μｍ〜１２０μｍであることが好ましい。突出電極間の間隔の上限値と下限値に関する臨界的意味は、図４を参考にして説明したものと同様なので、ここではその説明を省略する。
【００８８】
一方、突出電極のうち、少なくとも１つは、曲率を有する部分を含むことができる。例えば、突出電極の終端が曲線の形状を有することができ、ブリッジ電極とライン電極とが隣接する部分において突出電極が曲率を有することもできる。このような場合、製造工程において、微細な突出電極の形状を容易に製造することができる。終端を丸い形状に処理することにより、放電特性が向上することができる。なお、ＰＤＰの駆動時に壁電荷が特定位置に過度に集中することを防止でき、これにより、放電特性を安定させて、駆動安定性を向上させることができる。
【００８９】
図８は、本発明に係るプラズマディスプレイパネルの電極構造に関する第４の実施の形態を示す断面図である。図８に示す電極構造のうち、図６Ａ、図６Ｂ及び図７で説明した内容と同一内容については説明を省略する。
【００９０】
図８に示すように、本発明に係る電極構造に関する第４の実施の形態では、維持電極対７０２、７０３のそれぞれには、３個の第１突出電極７０２ａ、７０３ａが形成される。
【００９１】
第１突出電極７０２ａ、７０３ａは、電極ラインのうち、放電セルの中心に近い電極ラインに接続され、放電セルの中心方向に突出する。何れか１つの第１突出電極を電極ラインの中心に形成し、残りの２つの第１突出電極を、電極ラインの中心を基準に互いに対称に形成することが好ましい。維持電極対７０２、７０３のそれぞれに３個の第１突出電極７０２ａ、７０３ａをそれぞれ形成することによって、図６Ａと図７の場合よりも放電開始電圧がさらに低くなり、放電速度もさらに速くなる。また、放電開始後には、輝度がさらに上昇し、放電が全放電セルにさらに均一に拡散される。
【００９２】
上記の通りに第１突出電極の数を増加させることによって、放電セルの中心での電極面積が増加して、放電開始電圧が低くなり、輝度が増加する。これに対し、放電セルの中心で最も強い放電が起き、最も明るい放電光が放出されるという点を考慮しなければならない。すなわち、第１突出電極の数が増加するほど、放電セルの中心から放出される光を遮断することによって、放出される光が顕著に減少するという点と共に、放電開始電圧と輝度効率を同時に考慮して、最善の個数を選択することにより、維持電極対の構造を設計することが好ましい。
【００９３】
第１突出電極７０２ａ、７０３ａの幅は、３０μｍ〜７０μｍであることが好ましく、第１突出電極７０２ｃ、７０３ｃ間の間隔ａ１、ａ２、ａ３は、６０μｍ〜１２０μｍであることが好ましい。第１突出電極７０２ａ、７０３ａの幅及び間隔の上限値と下限値に関する臨界的意味は、図４を参考にして説明したものと同様なので、ここではその説明を省略する。
【００９４】
図９は、本発明に係るプラズマディスプレイパネルの電極構造に関する第５の実施の形態を示す断面図である。図９に図示されるように、維持電極対８００、８１０のそれぞれは、放電セルを横切る３個の電極ライン８００ａ、８００ｂ、８００ｃと、８１０ａ、８１０ｂ、８１０ｃと、をそれぞれ備える。当該電極ラインは、放電セルを横切り、プラズマディスプレイパネルの一方向に伸びる。当該電極ラインは、開口率の向上のために、幅が狭く形成され、好ましくは、２０μｍ〜７０μｍの幅を有するようにして、開口率を向上させると共に、放電が円滑に起きるようにする。
【００９５】
維持電極対の電極ライン８００ａ、８００ｂ、８００ｃと、８１０ａ、８１０ｂ、８１０ｃの厚さは、３μｍ〜７μｍであることが好ましく、それぞれの維持電極対を構成する３個の電極ライン間の間隔ａ１、ａ２は、互いに同一又は異なるように形成してもよく、電極ラインの幅ｂ１、ｂ２、ｂ３も互いに同一又は異なるように形成してもよい。
【００９６】
図１０は、本発明に係るプラズマディスプレイパネルの電極構造に関する第６の実施の形態を示す断面図である。図１０に図示されるように、維持電極対９００、９１０のそれぞれは、放電セルを横切る４個の電極ライン９００ａ、９００ｂ、９００ｃ、９００ｄと、９１０ａ、９１０ｂ、９１０ｃ、９１０ｄと、を備える。当該電極ラインは、放電セルを横切り、プラズマディスプレイパネルの一方向に伸びる。当該電極ラインは、開口率の向上のために幅が狭く形成され、好ましくは、２０μｍ〜７０μｍの幅を有するようにして開口率を向上させると共に、放電が円滑に起きるようにする。
【００９７】
維持電極対９００、９１０の電極ライン９００ａ、９００ｂ、９００ｃ、９００ｄと、９１０ａ、９１０ｂ、９１０ｃ、９１０ｄの厚さは、３μｍ〜７μｍであることが好ましい。当該電極ライン厚の上限値と下限値に関する臨界的意味は、図２を参考にして説明したものと同様なので、ここではその説明を省略する。
【００９８】
当該それぞれの維持電極対を構成する４個の電極ライン間の間隔ｃ１、ｃ２、ｃ３は、互いに同一又は異なるように形成してもよく、当該電極ラインの幅ｄ１、ｄ２、ｄ３、ｄ４も、互いに同一又は異なるように形成してもよい。
【００９９】
図１１は、本発明に係るプラズマディスプレイパネルの電極構造に対する第７の実施の形態を示す断面図である。図１１に示すように、維持電極対１０００、１０１０のそれぞれは、放電セルを横切る４個の電極ライン１０００ａ、１０００ｂ、１０００ｃ、１０００ｄと、１０１０ａ、１０１０ｂ、１０１０ｃ、１０１０ｄと、を備える。当該電極ラインは、放電セルを横切り、プラズマディスプレイパネルの一方向に伸びる。
【０１００】
維持電極対の電極ライン１０００ａ、１０００ｂ、１０００ｃ、１０００ｄと、１０１０ａ、１０１０ｂ、１０１０ｃ、１０１０ｄの厚さは、３μｍ〜７μｍであることが好ましい。当該電極ライン厚の上限値と下限値に関する臨界的意味は、図２を参考にして説明したものと同様なので、ここではその説明を省略する。
【０１０１】
ブリッジ電極１０２０、１０３０、１０４０と、１０５０、１０６０、１０７０は、維持電極対１０００、１０１０において、それぞれ２個の電極ラインを接続する。ブリッジ電極１０２０、１０３０、１０４０と、１０５０、１０６０、１０７０は、開始された放電が放電セルの中心から遠い電極ラインまで容易に拡散するようにする。図１１に示すように、ブリッジ電極１０２０、１０３０、１０４０と、１０５０、１０６０、１０７０の位置は、互いに一致しなくても良く、何れか１つのブリッジ電極（図１１の例ではブリッジ電極１０４０）が隔壁１０８０上に位置することもできる。
【０１０２】
図１２は、本発明に係るプラズマディスプレイパネルの電極構造に関する第８の実施の形態を示す断面図である。図１２に示すプラズマディスプレイパネルの電極構造は、図１１に示したものとは異なり、電極ラインを接続するブリッジ電極が同じ位置に形成されて、維持電極対１１００、１１１０のそれぞれに対して、４個の電極ライン１１００ａ、１１００ｂ、１１００ｃ、１１００ｄと、１１１０ａ、１１１０ｂ、１１１０ｃ、１１１０ｄと、を接続する１つのブリッジ電極１１２０、１１３０が形成されている。
【０１０３】
維持電極対１１００、１１１０の電極ライン１１００ａ、１１００ｂ、１１００ｃ、１１００ｄと、１１１０ａ、１１１０ｂ、１１１０ｃ、１１１０ｄの厚さは、３μｍ〜７μｍであることが好ましい。当該電極ライン厚の上限値と下限値に関する臨界的意味は、図２を参考にして説明したものと同様なので、ここではその説明を省略する。
【０１０４】
図１３は、本発明に係るプラズマディスプレイパネルの電極構造に関する第９の実施の形態を示す断面図である。図１３に示すように、電極ライン１２００、１２１０のそれぞれに対して、閉ループを含む形態の突出電極１２２０、１２３０がそれぞれ形成されている。図１３に示すような閉ループを含む突出電極１２２０、１２３０を介して、放電開始電圧を下げると共に、開口率を向上させることができる。当該突出電極及び閉ループの形態を多様に変形することができる。
【０１０５】
維持電極対の電極ライン１２００、１２１０の厚さは、３μｍ〜７μｍであることが好ましい。当該電極ライン厚の上限値と下限値に関する臨界的意味は、図２を参考にして説明したものと同様なので、ここではその説明を省略する。
【０１０６】
突出電極１２２０、１２３０の線幅Ｗ１、Ｗ２は、３０μｍ〜７０μｍであることが好ましい。突出電極１２２０、１２３０の線幅Ｗ１、Ｗ２が、上記のような値を有する場合、充分なパネルの開口率を確保して、ディスプレイ装置の前面から反射する光が当該突出電極により塞がれて、映像の輝度が減少するのを防止することができる。
【０１０７】
また、２つの突出電極１２２０、１２３０間の間隔は、６０μｍ〜１２０μｍであることが好ましい。当該突出電極間の間隔の上限値と下限値に関する臨界的意味は、図４を参考にして説明したものと同様なので、ここではその説明を省略する。
【０１０８】
図１４は、本発明に係るプラズマディスプレイパネルの電極構造に関する第１０の実施の形態を示す断面図である。図１４に示すプラズマディスプレイパネルの電極構造は、電極ライン１３００、１３１０それぞれに対して四角形形状の閉ループを含む突出電極１３２０、１３３０を形成させたものである。
【０１０９】
維持電極対の電極ライン１３００、１３１０の厚さは、３μｍ〜７μｍであることが好ましい。当該電極ライン厚の上限値と下限値に関する臨界的意味は、図２を参考にして説明したものと同様なので、ここではその説明を省略する。
【０１１０】
突出電極１３２０、１３３０の線幅Ｗ１、Ｗ２は、３０μｍ〜７０μｍであることが好ましい。突出電極１３２０、１３３０の線幅Ｗ１、Ｗ２の上限値と下限値に関する臨界的意味は、図１３を参考にして説明したものと同様なので、ここではその説明を省略する。
【０１１１】
また、２つの突出電極１３２０、１３３０間の間隔は、６０μｍ〜１２０μｍであることが好ましい。当該突出電極間の間隔の上限値と下限値に関する臨界的意味は、図４を参考にして説明したものと同様なので、ここではその説明を省略する。
【０１１２】
図１５Ａ及び図１５Ｂは、本発明に係るプラズマディスプレイパネルの電極構造に関する第１１の実施の形態を示す断面図である。図１５Ａ及び図１５Ｂに示すプラズマディスプレイパネルの電極構造は、電極ライン１４００、１４１０のそれぞれに対して放電セルの中心方向に突出した第１突出電極１４２０ａ及び１４２０ｂと、１４３０ａ及び１４３０ｂと、放電セルの中心方向又はその反対方向に突出した第２突出電極１４４０（図１５Ａ参照）、１４５０（図１５Ａ参照）、又は１４６０（図１５Ｂ参照）、１４７０（図１５Ｂ参照）を形成させたものである。
【０１１３】
図１５Ａに示すように、電極ライン１４００、１４１０のそれぞれに対して放電セルの中心方向に突出した２個の第１突出電極１４２０ａ及び１４２０ｂと、１４３０ａ及び１４３０ｂを形成させ、放電セルの中心方向と反対方向に突出した１つの第２突出電極１４４０、１４５０を形成させることが好ましい。又は、図１５Ｂに示すように、第２突出電極１４６０、１４７０を、放電セルの中心方向に突出するように形成してもよい。
【０１１４】
維持電極対の電極ライン１４００、１４１０の厚さは、３μｍ〜７μｍであることが好ましい。当該電極ライン厚の上限値と下限値に関する臨界的意味は、図２を参考にして説明したものと同様なので、ここではその説明を省略する。
【０１１５】
第１突出電極１４２０ａ及び１４２０ｂと、１４３０ａ及び１４３０ｂの幅は、３０μｍ〜７０μｍであることが好ましい。当該突出電極幅の上限値と下限値に関する臨界的意味は、図４を参考にして説明したものと同様なので、ここではその説明を省略する。
【０１１６】
１つの電極ラインから突出した２つの第１突出電極間の間隔ｄ１、ｄ２は、プラズマディスプレイパネルが４２インチの大きさ及びＶＧＡの解像度を有する場合には、５０μｍ〜１００μｍであり、プラズマディスプレイパネルが４２インチの大きさ及びＸＧＡの解像度を有する場合には、５０μｍ〜１００μｍであり、５０インチの大きさ及びＸＧＡの解像度を有する場合には、４０μｍ〜９０μｍであることが好ましい。当該第１突出電極間の間隔ｄ１、ｄ２の上限値と下限値に関する臨界的意味は、図７を参考にして説明したものと同様なので、ここではその説明を省略する。
【０１１７】
さらに、他の第１突出電極間の間隔、すなわち１４２０ａと１４３０ａとの間隔ａ１又は１４２０ｂと１４３０ｂとの間隔ａ２は、６０μｍ〜１２０μｍであることが好ましい。当該突出電極間の間隔の上限値と下限値に関する臨界的意味は、図４を参考にして説明したものと同様なので、ここではその説明を省略する。
【０１１８】
図１６Ａ〜図１６Ｂは、本発明に係るプラズマディスプレイパネルにおいて、互いに隣接した複数の放電セルに配置される電極構造に関する第１の実施の形態を示す図である。図１６Ａ〜図１６Ｂに示す電極構造のうち、図４〜図８で説明した内容と同一内容については説明を省略する。
【０１１９】
図１６Ａに示すように、維持電極対１５１０、１５２０は、基板上に放電セルの中心を基準に対称に対をなして形成される。維持電極対１５１０、１５２０のそれぞれは、放電セルを横切る少なくとも２つの電極ライン１５１１及び１５１２と、１５２１及び１５２２と、を備えるライン部が形成される。また、放電セルの中心に最も近い電極ライン１５１１、１５２１にそれぞれ接続され、放電セル内で放電セルの中心方向に突出する１つの第１突出電極１５１３、１５２３、及び第２突出電極１５１６、１５２６を備え、放電セルの中心から最も遠い電極ライン１５１２、１５２２にそれぞれ接続され、放電セル内で放電セルの中心と反対方向に突出する第３突出電極１５１５、１５２５をさらに備える突出部が形成される。また、維持電極対１５１０、１５２０は、２つの電極ラインを接続する１つのブリッジ電極１５１４、１５２４をそれぞれ備える。
【０１２０】
第１突出電極１５１３、１５２３は、複数の放電セルのうち、Ｒ、Ｇ放電セル内で放電セルの中心に近い電極ライン１５１１、１５２１にそれぞれ接続される。また、第２突出電極１５１６、１５２６は、複数の放電セルのうち、Ｂ放電セル内で放電セルの中心に近い電極ライン１５１１、１５２１にそれぞれ接続される。第１突出電極１５１３、１５２３及び第２突出電極１５１６、１５２６は、それぞれの放電セル内で互いに対応して、ＰＤＰの放電開始電圧をさらに効果的に下げるために、電極ラインの中心に位置することが好ましい。
【０１２１】
また、Ｂ放電セル内に位置する第２突出電極１５１６、１５２６の長さＬｃ２は、Ｒ放電セル及びＧ放電セルに位置する第１突出電極１５１３、１５２３の長さＬｃの０．７０倍〜０．９８倍に形成される。このような場合、第２突出電極を含むＢ放電セルから発光するブルー（Ｂ）の色温度を増加させて、パネルの輝度を向上させることができる。
【０１２２】
このような突出電極１５１３、１５２３、１５１６、１５２６は、その大きさが極めて小さいため、製造工程の公差により実質的に突出電極１５１３、１５２３、１５１６、１５２６の電極ライン１５１１、１５２１と接続する部分の幅Ｗ１は、突出電極の終端部分の幅Ｗ２より広く形成されるが、必要に応じて、その終端の幅をより広くすることもできる。
【０１２３】
ブリッジ電極１５１４、１５２４は、それぞれの電極ラインを接続する。ブリッジ電極１５１４、１５２４は、突出電極を介して開始された放電を放電セルの中心から遠い電極ライン１５１２、１５２２まで容易に拡散させる機能を果たす。図１６Ａにおいて、ブリッジ電極１５１２、１５２２は、放電セル内に位置しているが、その必要に応じて放電セルを区画する隔壁のうち、縦隔壁１５３０上に重なるように形成することもできる。
【０１２４】
第３突出電極１５１５、１５２５は、１つの放電セル内で放電セルの中心から遠い電極ライン１５１２、１５２２に接続され、放電セルの中心方向と反対方向に突出する。これにより、電極ライン１５１２、１５２２と隔壁１５３０、１５４０との間の空間にも放電を拡散させることができる。すなわち、放電拡散効率を増加させることによって、プラズマディスプレイパネルの輝度効率を改善させることができる。
【０１２５】
図１６Ｂに示すように、維持電極対は、複数の放電セルのうち、Ｒ放電セル又はＧ放電セル内に位置する電極ライン１５１１、１５１２、１５２１、１５２２とそれぞれ接続されるＢ放電セルの電極ライン１５１１ａ、１５１２ａ、１５２１ａ、１５２２ａを備える。
【０１２６】
また、Ｂ放電セルの中心に最も近い電極ライン１５１１ａ、１５２１ａにそれぞれ接続され、Ｂ放電セル内でＢ放電セルの中心方向に突出する１つの第４突出電極１５１３ａ、１５２３ａを備え、Ｂ放電セルの中心から最も遠い電極ライン１５１２ａ、１５２２ａに接続され、Ｂ放電セル内でＢ放電セルの中心と反対方向にそれぞれ突出する第５突出電極１５１５ａ、１５２５ａをさらに備える。
【０１２７】
また、さらに、維持電極対は、複数の放電セルのうち、Ｂ放電セル内に位置する２つの電極ラインを接続する１つのブリッジ電極１５１４ａ、１５２４をそれぞれ備える。
【０１２８】
複数の放電セルのうち、Ｂ放電セル内に位置する維持電極対の幅Ｐ２は、Ｒ放電セル又はＧ放電セルに形成された維持電極対１５１０、１５２０の幅Ｐ１の０．７０倍〜０．９８倍であることが好ましい。このような場合、Ｂ放電セルにおける色温度を向上させ、パネルの輝度を改善させることができる。
【０１２９】
このように、本発明の第１の実施の形態に係る電極構造は、所定数の電極ラインを形成することによって、開口率を向上させることができる。また、突出電極を形成することによって、放電開始電圧を下げることができ、ブリッジ電極と放電セルの中心から遠い電極ラインにより、放電拡散効率を増加させることができる。また、Ｂ放電セル領域内の電極の幅を減らすか、又は突出電極の長さを減少させることによって、パネルの色温度及び輝度を向上させることができる。
【０１３０】
図１７Ａ〜図１７Ｂは、本発明に係るプラズマディスプレイパネルにおいて、互いに隣接した複数の放電セルに配置される電極構造に関する第２の実施の形態を示す図である。図１７Ａ〜図１７Ｂに示す電極構造のうち、図４〜図８、図１６Ａ及び図１６Ｂで説明した内容と同一内容については説明を省略する。
【０１３１】
図１７Ａ〜図１７Ｂに示すように、本発明に係るプラズマディスプレイパネルの維持電極１６１０、１６２０は、複数の放電セルのうち、Ｒ、Ｇ放電セル内に位置する２つの第１突出電極１６１１、１６２１と、Ｂ放電セル内に位置する２つの第２突出電極１６１２、１６２２とを備える。
【０１３２】
第２突出電極１６１２、１６２２の長さａ２は、第１突出電極１６１１、１６２１の長さａ１の０．７０倍〜０．９８倍に形成することが好ましい。又は、図１７Ｂに示すように、Ｂ放電セル内に位置する維持電極対１６３０、１６４０の幅は、Ｒ放電セル及びＧ放電セル内に位置する維持電極１６１０、１６２０の幅の０．７０倍〜０．９８倍に形成されることが好ましい。このような場合、Ｂ放電セルの色温度を増加させて、パネルの輝度を改善することができる。
【０１３３】
図１８Ａ〜図１８Ｂは、本発明に係るプラズマディスプレイパネルにおいて、互いに隣接した複数の放電セルに配置される電極構造に関する第３の実施の形態を示す図である。図１８Ａ〜図１８Ｂに示す電極構造のうち、図４〜図８、図１６Ａ及び図１７Ｂで説明した内容と同一内容については説明を省略する。
【０１３４】
図１８Ａ〜図１８Ｂに示すように、本発明に係るプラズマディスプレイパネルの電極構造に関する第３の実施の形態では、維持電極対１７１０及び１７２０（図１８Ａ参照）と、１７３０及び１７４０（図１８Ｂ参照）は、複数の放電セルのうち、Ｒ放電セル及びＧ放電セル内に位置する第１突出電極１７１１、１７２１とＢ放電セル内に位置する第２突出電極１７１２、１７２２とを備える。
【０１３５】
第１突出電極１７１１、１７２１及び第２突出電極１７１２、１７２２は、それぞれの放電セル内で放電セルの中心に近い電極ラインに接続され、放電セルの中心方向に突出する。１つの放電セル内で何れか１つの第１突出電極１７１１、１７２１は、電極ラインの中心に形成され、残りの２つの第１突出電極１７１１、１７２１は、電極ラインの中心を基準に、互いに対称に形成される。また、第２突出電極１７１２、１７２２は、第１突出電極１７１１、１７２１と実質的に同様に形成されるが、第２突出電極１７１２、１７２２の長さは、第１突出電極１７１１、１７２１の長さの０．７０倍〜０．９８倍であることが好ましい。このような場合、Ｂ放電セルの開口率をさらに大きくすることができ、Ｂ放電セルの色温度を向上させ、パネルの輝度を改善することができる。
【０１３６】
又は、図１８Ｂに示すように、複数の放電セルのうち、Ｂ放電セル内に位置する維持電極１７３０、１７４０の幅を、Ｒ放電セル及びＧ放電セル内に位置する維持電極１７１０、１７２０幅の０．７０倍〜０．９８倍に形成することが好ましい。このような場合、Ｂ放電セルの開口率をさらに大きくすることができ、Ｂ放電セルの色温度を向上させ、パネルの輝度を改善することができる。
【０１３７】
図１９は、本発明に係るプラズマディスプレイパネルにおいて、互いに隣接した複数の放電セルに配置される電極構造に関する第４の実施の形態を示す図である。図１９に示す電極構造のうち、図４〜図８、図１６Ａ及び図１６Ｂで説明した内容と同一内容については説明を省略する。
【０１３８】
図１９に示すように、本発明に係るプラズマディスプレイパネルの維持電極対は、複数の放電セルのうち、Ｒ放電セル内に位置する第１維持電極対１８１０、１８２０と、Ｇ放電セル内に位置する第２維持電極対１８３０、１８４０と、Ｂ放電セル内に位置する第３維持電極対１８５０、１８６０と、を備える。このとき、Ｒ、Ｇ、Ｂ放電セル内に位置する維持電極対を互いに接続して形成することが好ましい。
【０１３９】
また、複数の放電セル内に形成される維持電極対の各々の幅を互いに異なるように形成することによって、パネルの色温度を向上させ、輝度を改善することができる。このとき、Ｒ、Ｇ、Ｂのそれぞれの色温度及び発光効率を考慮して、Ｒ放電セル内に位置する第１維持電極対の幅を最も大きく形成し、Ｂ放電セル内に位置する第３維持電極対の幅を最も小さく形成することが好ましい。例えば、複数の放電セルのうち、Ｇ放電セル内に位置する第２維持電極対１８３０、１８４０の幅を、Ｒ放電セル内に位置する第１維持電極対１８１０、１８２０の幅の０．８０倍〜０．９８倍に形成し、Ｂ放電セル内に位置する第３維持電極対１８５０、１８６０の幅をＧ放電セル内に位置する第２維持電極対１８３０、１８４０の幅の０．８０倍〜０．９８倍に形成することが好ましい。
【０１４０】
次の表は、Ｒ、Ｇ、Ｂ放電セルのそれぞれに位置する維持電極対の幅比率に応じたパネルの色温度及び輝度を測定した結果である。
【０１４１】
【表１】
2007324117.tif 000003
【０１４２】
表１に示すように、複数の放電セルのうち、Ｇ放電セル内に位置する第２維持電極対の幅を、Ｒ放電セル内に位置する第１維持電極対の幅の０．９１倍〜０．９７倍に形成すると共に、Ｂ放電セル内に位置する第３維持電極対の幅をＧ放電セル内に位置する第２維持電極対の０．９１倍〜０．９７倍に形成することができ、第２維持電極対の幅に対する第１、３維持電極対の幅が大きくなる又は小さくなるほど、パネルの色温度及び輝度が上昇することが分かる。
【０１４３】
図２０は、プラズマディスプレイパネルの画像の１フレームが、複数のサブフィールドに時分割駆動される方法に対する一実施の形態を示す図である。
【０１４４】
図２０に示すように、単位フレームは、画像の階調を表現するために、所定個数、例えば８個のサブフィールドＳＦ１，．．．，ＳＦ８に時分割駆動することができる。また、各サブフィールドＳＦ１，．．．，ＳＦ８は、リセット区間（図示せず）、アドレス区間Ａ１，．．．，Ａ８、及びサステイン区間Ｓ１，．．．，Ｓ８に分割される。
【０１４５】
各アドレス区間Ａ１，．．．，Ａ８において、アドレス電極（Ｘ）にデータ信号が印加され、各スキャン電極（Ｙ）上には、これに相応するスキャンパルスが順次印加される。各サステイン区間Ｓ１，．．．，Ｓ８では、スキャン電極（Ｙ）とサステイン電極（Ｚ）にサステインパルスが交互に印加され、アドレス区間Ａ１，．．．，Ａ８から選択された放電セルでサステイン放電を起こす。
【０１４６】
プラズマディスプレイパネルの輝度は、単位フレームに占めるサステイン区間Ｓ１，．．．，Ｓ８内のサステインの放電回数に比例する。１つの画像を形成する１つのフレームが８個のサブフィールドと２５６階調で表現される場合、各サブフィールドには、順に１、２、４、８、１６、３２、６４、１２８の割合で互いに異なるサステインパルスの数を割り当てることができる。又は、１３３階調の輝度を得るためには、サブフィールド１区間、サブフィールド３区間、及びサブフィールド８区間の間、セルをアドレッシングしてサステイン放電すれば良い、
一方、各サブフィールドに割り当てられるサステイン放電回数は、ＡＰＣ（Ａｕｔｏｍａｔｉｃ  Ｐｏｗｅｒ  Ｃｏｎｔｒｏｌ）ステップに応じたサブフィールドの加重値により可変的に決定することができる。すなわち、図２０では、１フレームを８個のサブフィールドに分割する場合を例に挙げて説明したが、本発明は、それに限定されず、１フレームを形成するサブフィールドの数を設計仕様により多様に変形することができる。例えば、１フレームを１２又は１６サブフィールドなどのように、８サブフィールド以上又は以下に分割して、プラズマディスプレイパネルを駆動させることができる。
【０１４７】
また、各サブフィールドに割り当てられるサステイン放電の数は、ガンマ特性やパネル特性を考慮して多様に変形することができる。例えば、サブフィールド４に割り当てられた階調度を８から６に下げ、サブフィールド６に割り当てられた階調度を３２から３４に高めることができる。
【０１４８】
図２１は、分割されたサブフィールドに対して、プラズマディスプレイパネルを駆動させるための駆動信号に関する一実施の形態を示すタイミングチャートである。
【０１４９】
図２１に示すように、まず、サブフィールドＳＦは、放電セル内部の電荷を初期化させるリセット区間と、画像が表示される放電セル、あるいは、画像が表示されない放電セルを選択するアドレス区間と、アドレス区間に選択された画像が表示される放電セルにサステイン放電を発生させて画像を表示するサステイン区間とに区分され、リセット区間は、さらにセットアップ区間とセットダウン区間とに区分される。セットアップ区間においては、スキャン電極（Ｙ）に次第に上昇するセットアップ信号が印加されて、全ての放電セル内でセットアップ放電が発生して壁電荷が蓄積され、セットダウン区間においては、次第に下降するセットダウン信号を印加して、微弱な消去放電を発生させ、これにより、アドレス放電が安定して起こすことが可能な程度の壁電荷が放電セルの内部に均一に残留する。
【０１５０】
また、リセット区間以前にプリリセット区間が存在して、壁電荷の充分な形成を補助し、リセット区間以前にスキャン電極（Ｙ）の電圧値が次第に減少する波形を印加する間、サステイン電極（Ｚ）に正極性の電圧を印加して、プリリセット放電を発生させる。このようなプリリセット区間は、駆動マージンを考慮すると、最初のサブフィールドＳＦ１のみに存在することが好ましい。
【０１５１】
アドレス区間においては、スキャン信号が各スキャン電極（Ｙ）に順次印加されると共に、アドレス電極（Ｘ）にスキャン電極（Ｙ）に印加されるスキャン信号と同期する正極性のデータ信号が印加される。このような、スキャン信号及びデータ信号の電圧差と、リセット区間において生成された壁電圧とが加算されて、放電セルの内部では、アドレス放電が発生して、サステイン放電のための壁電荷が形成される。
【０１５２】
サステイン区間においては、スキャン電極（Ｙ）とサステイン電極（Ｚ）に交互にサステイン信号が印加され、アドレス放電により選択された放電セルは、それぞれのサステイン信号が印加される時ごとに、サステイン放電、すなわち表示放電が起きる。
【０１５３】
一方、図２１に示す波形は、本発明に係るプラズマディスプレイパネルを駆動させるための信号に関する一実施の形態であって、図２１に示す波形により本発明は限定されない。例えば、リセット区間は、１つのフレームを構成する複数のサブフィールドのうち、少なくとも１つにおいて省略することができ、最初のサブフィールドにのみリセット区間が存在するようにすることもでき、プリリセット区間を省略することもできる。
【０１５４】
図２１に示す駆動信号の極性及び電圧レベルを必要に応じて変更することができる。サステイン放電の完了後に、壁電荷消去のための消去信号をサステイン電極（Ｚ）に印加することもでき、サステイン信号がスキャン電極（Ｙ）とサステイン電極（Ｚ）のうちの何れか１つにのみ印加されてサステイン放電を起こすシングルサステイン（Ｓｉｎｇｌｅ  ｓｕｓｔａｉｎ）駆動も可能である。
【０１５５】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１５６】
【図１】一般的なプラズマディスプレイパネルの構造を示す図である。
【図２】本発明に係るプラズマディスプレイ装置に備えられるパネルの構造に関する一実施の形態を示す図である。
【図３】プラズマディスプレイパネルの電極配置に関する一実施の形態を示す図である。
【図４】本発明に係るプラズマディスプレイパネルの電極構造に関する第１の実施の形態を示す断面図である。
【図５】本発明に係るプラズマディスプレイパネルに関する第２の実施の形態を示す斜視図である。
【図６Ａ】本発明に係るプラズマディスプレイパネルの電極構造に関する第２の実施の形態を示す断面図である。
【図６Ｂ】本発明に係るプラズマディスプレイパネルの電極構造に関する第２の実施の形態を示す断面図である。
【図７】本発明に係るプラズマディスプレイパネルの電極構造に関する第３の実施の形態を示す断面図である。
【図８】本発明に係るプラズマディスプレイパネルの電極構造に関する第４の実施の形態を示す断面図である。
【図９】本発明に係るプラズマディスプレイパネルの電極構造に関する第５の実施の形態を示す断面図である。
【図１０】本発明に係るプラズマディスプレイパネルの電極構造に関する第６の実施の形態を示す断面図である。
【図１１】本発明に係るプラズマディスプレイパネルの電極構造に関する第７の実施の形態を示す断面図である。
【図１２】本発明に係るプラズマディスプレイパネルの電極構造に関する第８の実施の形態を示す断面図である。
【図１３】本発明に係るプラズマディスプレイパネルの電極構造に関する第９の実施の形態を示す断面図である。
【図１４】本発明に係るプラズマディスプレイパネルの電極構造に関する第１０の実施の形態を示す断面図である。
【図１５Ａ】本発明に係るプラズマディスプレイパネルの電極構造に関する第１１の実施の形態を示す断面図である。
【図１５Ｂ】本発明に係るプラズマディスプレイパネルの電極構造に関する第１１の実施の形態を示す断面図である。
【図１６Ａ】本発明に係るプラズマディスプレイパネルにおいて、互いに隣接した複数の放電セルに配置される電極構造に関する第１の実施の形態を示す図である。
【図１６Ｂ】本発明に係るプラズマディスプレイパネルにおいて、互いに隣接した複数の放電セルに配置される電極構造に関する第１の実施の形態を示す図である。
【図１７Ａ】本発明に係るプラズマディスプレイパネルにおいて、互いに隣接した複数の放電セルに配置される電極構造に関する第２の実施の形態を示す図である。
【図１７Ｂ】本発明に係るプラズマディスプレイパネルにおいて、互いに隣接した複数の放電セルに配置される電極構造に関する第２の実施の形態を示す図である。
【図１８Ａ】本発明に係るプラズマディスプレイパネルにおいて、互いに隣接した複数の放電セルに配置される電極構造に関する第３の実施の形態を示す図である。
【図１８Ｂ】本発明に係るプラズマディスプレイパネルにおいて、互いに隣接した複数の放電セルに配置される電極構造に関する第３の実施の形態を示す図である。
【図１９】本発明に係るプラズマディスプレイパネルにおいて、互いに隣接した複数の放電セルに配置される電極構造に関する第４の実施の形態を示す図である。
【図２０】プラズマディスプレイパネルの画像の１フレームが複数のサブフィールドに時分割駆動される方法に関する一実施の形態を示す図である。
【図２１】分割されたサブフィールドに対して、プラズマディスプレイパネルを駆動させるための駆動信号に関する一実施の形態を示すタイミングチャートである。
【図１】
2007324117.tif 000004
【図２】
2007324117.tif 000005
【図３】
2007324117.tif 000006
【図４】
2007324117.tif 000007
【図５】
2007324117.tif 000008
【図６Ａ】
2007324117.tif 000009
【図６Ｂ】
2007324117.tif 000010
【図７】
2007324117.tif 000011
【図８】
2007324117.tif 000012
【図９】
2007324117.tif 000013
【図１０】
2007324117.tif 000014
【図１１】
2007324117.tif 000015
【図１２】
2007324117.tif 000016
【図１３】
2007324117.tif 000017
【図１４】
2007324117.tif 000018
【図１５Ａ】
2007324117.tif 000019
【図１５Ｂ】
2007324117.tif 000020
【図１６Ａ】
2007324117.tif 000021
【図１６Ｂ】
2007324117.tif 000022
【図１７Ａ】
2007324117.tif 000023
【図１７Ｂ】
2007324117.tif 000024
【図１８Ａ】
2007324117.tif 000025
【図１８Ｂ】
2007324117.tif 000026
【図１９】
2007324117.tif 000027
【図２０】
2007324117.tif 000028
【図２１】
2007324117.tif 000029